(57)【要約】【課題】ＡＣ／ＤＣ電源部を冷却するファンを駆動した時の音の大きさを、目立たなくする記録装置を提供することである。【解決手段】冷却ファンを備えた電源部から供給される電力により、記録手段により記録媒体に記録を行う記録装置において、以下の制御を行う。即ち、前記電源部の温度を検知し、前記記録装置の記録動作による発生音を予測又は実測することにより取得する。そして、前記記録装置の動作ステータスと前記検知される前記電源部の温度と前記取得される発生音とに基づいて前記冷却ファンの駆動を制御する。【選択図】  図１
2018114697.tif 000002
【特許請求の範囲】
【請求項１】
冷却ファンを備えた電源部から供給される電力により、記録手段により記録媒体に記録を行う記録装置であって、
前記電源部の温度を検知する検知手段と、
前記記録装置の記録動作による発生音を予測又は実測することにより取得する取得手段と、
前記記録装置の動作ステータスと前記検知手段により検知される前記電源部の温度と前記取得手段により取得される発生音とに基づいて前記冷却ファンの駆動を制御する制御手段とを有することを特徴とする記録装置。
【請求項２】
前記記録手段は、インクを吐出するインクジェット記録ヘッドを含み、
前記インクジェット記録ヘッドにインクを供給する第１の機構と、
前記インクジェット記録ヘッドのメンテナンスを行う第２の機構と、
前記インクジェット記録ヘッドを搭載したキャリッジを移動する第３の機構と、
前記キャリッジを移動する方向とは直交する方向に前記インクジェット記録ヘッドにより画像が記録される記録媒体を搬送する第４の機構とをさらに有する請求項１に記載の記録装置。
【請求項３】
前記取得手段は、
前記第１の機構、前記第２の機構、前記第３の機構、前記第４の機構それぞれを駆動させた場合に生じる発生音を格納する格納手段と、
前記第１の機構、前記第２の機構、前記第３の機構、前記第４の機構それぞれが駆動されているかどうかに従って、前記格納手段に格納された発生音に基づいて、前記記録装置からの発生音を算出する算出手段とを有し、
前記算出手段によって算出された発生音を予測される発生音とすることを特徴とする請求項２に記載の記録装置。
【請求項４】
前記取得手段は、
前記記録装置からの発生音を実測するマイクロフォンを有し、
前記マイクロフォンによって、予め定められた時間、前記発生音を実測し、前記実測された値の平均値、又は最小値を前記発生音として取得することを特徴とする請求項１乃至３のいずれか１項に記載の記録装置。
【請求項５】
前記記録装置の動作ステータスは、記録媒体に画像を記録する画像形成中であるか、或いは、画像形成の待機中であるかを示すことを特徴とする請求項１乃至４のいずれか１項に記載の記録装置。
【請求項６】
前記制御手段は、前記記録装置の動作ステータスと前記検知手段により検知される前記電源部の温度と前記取得手段により取得される発生音とに基づいて、前記冷却ファンの回転数を決定する決定手段を含むことを特徴とする請求項１乃至５のいずれか１項に記載の記録装置。
【請求項７】
前記決定手段は、前記発生音が大きく、かつ、前記検知される電源部の温度が高ければ、前記冷却ファンの回転数を大きくするよう決定する一方、前記発生音が小さく、前記温度が低いなら、前記冷却ファンの駆動を停止するか、又は発生音が増えない程度の回転数とするよう決定することを特徴とする請求項６に記載の記録装置。
【請求項８】
前記決定手段はさらに、前記発生音が増えない程度の回転数を、前記冷却ファンの回転から発生する動作音と、前記発生音との関係から決定することを特徴とする請求項７に記載の記録装置。
【請求項９】
前記検知手段は、前記電源部を構成する一部の部品の温度を検知するサーミスタを含むことを特徴とする請求項１乃至８のいずれか１項に記載の記録装置。
【請求項１０】
前記電源部は、商用交流電源を直流電源に変換し、前記記録装置の各部が必要とする直流電圧の電力を生成することを特徴とする請求項１乃至９のいずれか１項に記載の記録装置。
【請求項１１】
冷却ファンを備えた電源部から供給される電力により、記録手段により記録媒体に記録を行う記録装置における動作音の制御方法であって、
前記電源部の温度を検知する検知工程と、
前記記録装置の記録動作による発生音を予測又は実測することにより取得する取得工程と、
前記記録装置の動作ステータスと前記検知工程において検知される前記電源部の温度と前記取得工程において取得される発生音とに基づいて前記冷却ファンの駆動を制御する制御工程とを有することを特徴とする動作音の制御方法。
【発明の詳細な説明】
【技術分野】
【０００１】
本発明は記録装置及びその動作音の制御方法に関し、特に、商用電源からの電力供給で動作する、例えば、インクジェット記録ヘッドから記録媒体に対してインク吐出を行って記録を行う記録装置及びその動作音の制御方法に関する。
【背景技術】
【０００２】
商用電源からの電力供給で動作する画像形成装置は、商用電源である交流電源（ＡＣ）を装置の回路に実装されたＩＣなどに電力を供給するために直流電源（ＤＣ）に変換する電源ユニットが備えられている。昨今の画像形成装置の小型化の要求から、電源ユニットを小型化するために電源ユニット内部を冷却するファンを備えている。ファンにより発生する空気の流れで電源ユニット内の部品から発生する熱を外部に逃がしたり、発熱部品に空気をあてて電源ユニット内の部品を冷却することで、部品と部品の間隔をより小さくした小型の電源ユニットを実現している。
【０００３】
電源ユニットの冷却ファンを駆動するためには、必要以上に冷却ファンの駆動音が大きくならないように電源ユニット内に温度を検知するセンサを備え、そのセンサの出力値に応じて冷却ファンを駆動する技術が提案されている。特許文献１は、電源周囲の音の大きさと関係なく電源冷却ファンを駆動する構成例を開示している。
【０００４】
図９は電源ユニット周囲の音の大きさと関係なく電源冷却ファンを駆動した時の音の大きさの時間変化を表した図である。
【０００５】
図９（ａ）において、縦軸は画像形成装置の電源ユニット周囲の音の大きさをデシベル（ｄＢ）で表わし、横軸は時間経過（ｔ）を示している。図９（ａ）によれば、ｔ＝ｔ０〜ｔ１までの時間、およびｔ＝ｔ２〜ｔ５、ｔ６以降の時間は、周囲音が４５ｄＢと静かであり、そのほかの時間は７０ｄＢの騒音が発生していることを示している。
【０００６】
図９（ｂ）において、縦軸は電源ユニットの冷却ファンの音の大きさをデシベル（ｄＢ）で表わし、横軸は時間経過（ｔ）を示している。図９（ｂ）によれば、ｔ＝ｔ３〜ｔ４の時間では電源ユニット内部を冷却するため、冷却ファンを回すので６５ｄＢの音の大きさを発生させている。
【０００７】
図９（ｃ）において、縦軸は電源ユニットの周囲音と電源の冷却ファンの音を合わせた音の大きさをデシベル（ｄＢ）で表わし、横軸は時間経過を示している。図９（ｃ）によれば、ｔ＝ｔ０〜ｔ１、ｔ２〜ｔ３、ｔ４〜ｔ５、ｔ６以降は、発生音の大きさは４５ｄＢと静かである。一方、ｔ＝ｔ１〜ｔ２、ｔ５〜ｔ６の時間は、７０ｄＢの音が発生している。また、ｔ＝ｔ３〜ｔ４の時間は４５ｄＢの音と６５ｄＢの２つの音が重なり、
１０×ｌｏｇ｛１０(45/10)＋１０(65/10)｝＝６５（ｄＢ）
と６５ｄＢの大きさの音が発生している。
【０００８】
即ち、従来の技術によれば、冷却ファンを周囲音の大きさと関係なく駆動することにより、周囲が静かな時に６５ｄＢ以上の大きな音が、ｔ＝ｔ１〜ｔ２、ｔ５〜ｔ６に加え、ｔ＝ｔ３〜ｔ４の時間に発生する。
【先行技術文献】
【特許文献】
【０００９】
【特許文献１】特開２００２−２２９４１７号公報
【発明の概要】
【発明が解決しようとする課題】
【００１０】
以上説明したように従来技術によれば、電源ユニット内部の温度を検出し、温度が高いときに冷却ファンを駆動することは最小限の時間で行うことができる。しかしながら、周囲音と無関係に冷却ファンを駆動することは、周囲が静かな時にも、冷却ファンの大きな音が発生してしまうという問題がある。
【００１１】
図１０は、周囲の音が大きいときに電源ユニットの冷却ファンを駆動した時の音の大きさの時間変化を表した図である。
【００１２】
図１０（ａ）において、縦軸は画像形成装置の周囲の音の大きさをデシベル（ｄＢ）で表わし、横軸は時間経過（ｔ）を示している。図１０（ａ）によれば、ｔ＝ｔ１０〜ｔ１１までの時間、およびｔ＝ｔ１２〜ｔ１３、ｔ１６以降の時間は、周囲音が４５ｄＢと静かであり、そのほかの時間は７０ｄＢの騒音が発生していることを示している。
【００１３】
図１０（ｂ）において、縦軸は電源ユニットの冷却ファンの音の大きさをデシベル（ｄＢ）で表わし、横軸は時間経過（ｔ）を示している。図１０（ｂ）によれば、周囲音が大きい時間帯であるｔ＝ｔ１４〜ｔ１５に電源ユニット内部を冷却するため、冷却ファンを駆動することにより６５ｄＢの音の大きさを発生させている。
【００１４】
図１０（ｃ）において、縦軸は電源ユニットの周囲音と電源の冷却ファンの音を合わせた音の大きさをデシベル（ｄＢ）で表わし、横軸は時間経過（ｔ）を示している。図１０（ｃ）によれば、ｔ＝ｔ１０〜ｔ１１、ｔ１２〜ｔ１３、ｔ１６以降は、４５ｄＢと静かであり、ｔ＝ｔ１１〜ｔ１２、ｔ１３〜ｔ１４、ｔ１５〜ｔ１６の時間は、７０ｄＢの音が発生している。また、ｔ＝ｔ１４〜ｔ１５の時間は、電源ユニットの周囲音の７０ｄＢの大きさの音と冷却ファンの６５ｄＢの音が重なり、
１０×ｌｏｇ｛(１０(70/10)＋１０(65/10)｝＝７１．２ｄＢ
と７１．２ｄＢの大きさの音が発生する。
【００１５】
従って、冷却ファンを周囲音が大きいときに駆動することにより、６５ｄＢ以上の大きな音が発生している時間と音の大きさは、次のような特性となる。即ち、図１０（ａ）に示した電源の周囲音の大きさと図１０（ｃ）に示した冷却ファンを駆動させたときに音が発生する時間と大きさがほとんど変わらない。
【００１６】
本発明は上記従来例に鑑みてなされたもので、電源部の冷却ファンが発生する音を周囲音より目立たないように制御する記録装置とその動作音の制御方法とを提供することを目的としている。
【課題を解決するための手段】
【００１７】
上記目的を達成するために本発明の記録装置は次のような構成を有する。
【００１８】
即ち、冷却ファンを備えた電源部から供給される電力により、記録手段により記録媒体に記録を行う記録装置であって、前記電源部の温度を検知する検知手段と、前記記録装置の記録動作による発生音を予測又は実測することにより取得する取得手段と、前記記録装置の動作ステータスと前記検知手段により検知される前記電源部の温度と前記取得手段により取得される発生音とに基づいて前記冷却ファンの駆動を制御する制御手段とを有することを特徴とする。
【００１９】
また本発明を他の側面から見れば、冷却ファンを備えた電源部から供給される電力により、記録手段により記録媒体に記録を行う記録装置における動作音の制御方法であって、前記電源部の温度を検知する検知工程と、前記記録装置の記録動作による発生音を予測又は実測することにより取得する取得工程と、前記記録装置の動作ステータスと前記検知工程において検知される前記電源部の温度と前記取得工程において取得される発生音とに基づいて前記冷却ファンの駆動を制御する制御工程とを有することを特徴とする動作音の制御方法を備える。
【発明の効果】
【００２０】
従って本発明によれば、冷却ファンの音を周囲音より目立たなくするという効果がある。
【図面の簡単な説明】
【００２１】
【図１】インクジェット記録装置の構成を示す斜視図である。
【図２】図１に示す記録装置の制御構成を示すブロック図である。
【図３】周囲音予測値の算出処理を示すフローチャートと、記録装置の動作により生じる発生音とを示す図である。
【図４】冷却ファンを指定回転数で回転させたときの周囲音値を示す図である。
【図５】冷却ファンの回転数を示す図である。
【図６】図１に示す記録装置の制御構成の変型例を示すブロック図である。
【図７】冷却ファンの回転数を算出する処理を示すフローチャートである。
【図８】画像形成処理を示すフローチャートである。
【図９】音の大きさの時間変化を表した図である。
【図１０】音の大きさの時間変化を表した図である。
【発明を実施するための形態】
【００２２】
以下添付図面を参照して本発明の好適な実施例について、さらに具体的かつ詳細に説明する。なお、以下の説明では、図面全体を通して、同じ構成要素に対して同じ参照番号を付して言及する。そのため、一度説明した構成要素に対しては同じ参照番号を用いて言及し、その説明を繰り返すことはしない。
【００２３】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００２４】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２５】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２６】
またさらに、「記録素子」とは特にことわらない限りインク吐出口乃至これに連通する液路及びインク吐出に利用されるエネルギーを発生する素子を総括して言うものとする。
【００２７】
図１は、本発明の代表的な実施例であるインクジェット記録装置（以下、記録装置）の構成を示す斜視図である。
【００２８】
図１に示されるように、複数のインクを吐出するノズルで構成されるインクジェット記録ヘッド（以下、記録ヘッド）２１はキャリッジ（不図示）に搭載され、そのキャリッジはベルト４５に装着され、レール４３に沿って摺動可能である。キャリッジモータ４４を駆動すると、ベルト４５が移動し、その移動に伴って記録ヘッド２１を搭載したキャリッジもレール４３に沿って移動する。その移動方向は主走査方向とも呼ばれる。
【００２９】
主走査方向にキャリッジが移動する際、キャリッジに取り付けられたエンコーダセンサ４６が主走査方向に沿って設けられた長尺エンコーダフィルム（以下、フィルム）４７のスリットを読取る。この実施例では、フィルム４７には３００ＤＰＩ間隔でスリットが印刷されており、キャリッジ移動に伴ってエンコーダセンサ４６がそのスリットを通過する光を読取って、記録ヘッド２１の主走査方向の位置、その移動距離と移動方向を判別することができる。
【００３０】
主走査方向の一端には、ヘッドメンテナンス機構２４が設けられ、記録ヘッド２１がその上部に移動してきた場合には、キャップ４２により記録ヘッド２１のインク吐出面をキャップすることができる。記録ヘッド２１が記録動作を行なっている以外の時は、記録ヘッド２１をキャップ４２上に移動させ、そのインク吐出面をキャップして、インクが乾燥しないようにインク吐出面を保護する。
【００３１】
さて、記録ヘッド２１には、インクタンク２０に貯留されたインクがサブタンク４０に一次的に貯められ、さらにインクチューブ１１０を介して供給される。インクタンク２０やサブタンク４０は、インクタンクメンテナンス機構２３により維持管理される。
【００３２】
さて、冷却ファン１１はＡＣ／ＤＣ電源部１２に実装され、ＡＣ／ＤＣ電源部１２の内部の部品を風の流れによって冷却する。冷却ファン１１は、外部からの回転数指示によりファンの回転数を制御することができる。ＡＣ／ＤＣ電源部１２の上部には記録装置全体の動作を制御する制御回路１５が設けられ、制御回路１５によって生成された各種の信号が信号ケーブル（ＦＦＣ）１０９によりキャリッジを経て記録ヘッド２１に転送される。
【００３３】
ＦＦＣ１０９と可動性のあるインクチューブ１１０とは傷つかないようにケーブル４１としてまとめられる。
【００３４】
インクタンクメンテナンス機構２３は、インクタンク２０に貯留されているインクの色素成分の沈降を考慮し、定期的にインクタンク２０内のインクを撹拌する機構を備える。この実施例では、インクタンクメンテナンス機構２３にインクバッファを設け、ポンプモータ（不図示）によりインクタンク内のインクをインクバッファ内に注入したり、インクバッファ内のインクをインクタンクに戻したりを繰り返してインクを撹拌する。
【００３５】
ヘッドメンテナンス機構２４は、モータ（不図示）でワイパブレードを記録ヘッド２１のインク吐出面に沿って動かすことにより、記録ヘッド２１の表面に付着しているインクを拭き取る。また、記録ヘッド２１内のインクを吐出（予備吐出）したり、ポンプにより吸引することで、記録ヘッド２１から常時適切なインクが吐出できるようにメンテナンスする機構である。
【００３６】
以上のような構成で、記録ヘッド２１はキャリッジにより移動しながら搬送されてきた記録媒体２２に対してインクを吐出して画像を記録する。
【００３７】
図２は、図１に示す記録装置（画像形成装置）の制御構成を示すブロック図である。
【００３８】
ＡＣ／ＤＣ電源部１２は、プラグ１０を介して、商用交流電源（ＡＣ電源）に接続され、商用交流電源（ＡＣ電源）をＤＣ電源（直流電源）に変換し、装置の各部が必要とする直流電圧（ＤＣ電圧）の電力を生成する回路である。生成されたＤＣ電圧の電力は、記録装置に含まれる全ての電気回路に直接的又は間接的に供給される。
【００３９】
温度検知素子１３は、ＡＣ／ＤＣ電源部１２の内部部品であって、最も部品の温度定格に対してマージンがすくなくなると予想される部品に取り付けられた、温度を検知し、その温度を電圧値などで出力する温度素子である。この実施例ではサーミスタを用いている。メモリ１８は、記録装置を制御する制御プログラムや各種パラメータを格納しているＲＯＭや作業領域と用いられるＲＡＭ、ＥＥＰＲＯＭやＦｅＲＡＭなどの不揮発性メモリ（ＮＶＲＡＭ）で構成されるメモリである。
【００４０】
通信制御回路１４は、ＬＡＮ、ＵＳＢなどのインタフェース１０４を介して他の装置との通信を制御する回路する。ここでいう他の装置とは、記録装置で画像形成を行うのに用いる画像データを生成して転送する、例えば、デジタルカメラ、パーソナルコンピュータ（ＰＣ）などのホスト装置である。通信制御回路１４はそのようなホスト装置とのデータ通信制御を行い、画像形成に用いる画像データをホスト装置から受信し、メモリ１８の所定領域（例えば、ＲＡＭに定義されたバッファ）に格納する。制御回路１５はＣＰＵで構成され、メモリ１８のＲＯＭに格納された制御プログラムをメモリ１８のＲＡＭ上にロードして実行することで、後述する画像形成制御部１６や周囲音予測部１７を含む、記録装置の動作すべてを総括的に制御する。
【００４１】
画像形成制御部１６は、制御回路１５のＣＰＵで冷却ファン１１の回転数制御も含む画像形成に関する制御を行う。さらに画像形成制御部１６は、ホスト装置から送られてきた画像データをインク色データに変換しこれを２値化して、記録される画像の解像度の記録データを生成する。なお、この記録データはメモリ１８に定義されたプリントバッファに一時的に格納される。周囲音予測部１７は、後述する記録媒体駆動機構２６などに代表されるアクチュエータを動作させたときの稼働音を予め周囲音予測値として記憶する。そして、各アクチュエータを動作させたときに記憶した予測値ＰＳが周囲音として提示される。
【００４２】
インク吐出制御回路１９は、上述のプリントバッファに格納された記録データに基づいて、記録ヘッド２１の移動動作に合わせて、適時、インクを吐出すべきノズルの選択と吐出すべきタイミングを記録ヘッド２１に出力する。そして、インク吐出制御回路１９により選択された記録ヘッド２１のノズルからは、指定されたタイミングで記録媒体２２に向かってインクを吐出することで、画像を形成する。また、このタイミングは、記録ヘッド２１の位置を検出するエンコーダセンサ４６からの出力信号に基づいて生成される。
【００４３】
記録ヘッド駆動機構２５は、図１を参照して説明したように、記録ヘッド２１を左右方向（以下、走査方向と記述）に移動させる機構で、レール４３、キャリッジモータ４４、ベルト４５、長尺エンコーダフィルム４７、エンコーダセンサ４６からなる。記録媒体駆動機構２６は、記録媒体を２つのローラで挟んで、記録ヘッド２１の移動方向とは直交する方向（以下、副走査方向）に移動させる。
【００４４】
冷却ファン１１が回転することによって発生する風ＷはＡＣ／ＤＣ電源部１２に向けられている。画像形成制御部１６は制御信号Ｃにより冷却ファン１１の回転数を制御することにより風Ｗの風量を制御し、ＡＣ／ＤＣ電源部１２の内部部品素子を適切に冷却する。この実施例では、制御信号ＣのパルスのＯＮ・ＯＦＦ比率によって回転速度を指示している。一方、ＡＣ／ＤＣ電源部１２に取り付けられた部品の温度Ｔは温度検知素子１３により検知され、検知温度に対応した電圧ＶＴが制御回路１５に出力される。
【００４５】
この実施例では、図１を参照して説明したように、複数の信号を転送する複数の信号線はＦＦＣに実装することで、記録ヘッド２１が移動しても、ＦＦＣが変形することで適時信号が送ることができる。
【００４６】
次に、以上の構成の記録装置において実行される周囲音に基づいたＡＣ／ＤＣ電源部の冷却制御について説明する。
【００４７】
図３は周囲音予測値の算出処理を示すフローチャートと、記録装置の動作により生じる発生音とを示す図である。図３において、（ａ）がフローチャートを示し、（ｂ）が発生源とその発生源からの音量との関係を示す表を示している。図３（ｂ）に示す値は表形式で周囲音予測部１７の内部メモリ或いはメモリ１８の不揮発性メモリに格納される。
【００４８】
ここで、図３（ａ）を参照して、周囲音予測部１７で実行する周囲音予測値の算出処理について説明する。
【００４９】
まず、ステップＳ１０１では周囲音予測の初期値として、“４５ｄＢ”を代入する。
【００５０】
ステップＳ１０２では、インクタンクメンテナンス機構２３が動作しているかを調べる。ここで、インクタンクメンテナンス機構２３が動作していると判断される場合、処理はステップＳ１０３に進み、インクタンクメンテナンス機構２３が動作していないと判断される場合、処理はステップＳ１０４に進む。
【００５１】
インクメンテナンスが駆動中の音量は、図３（ｂ）に示す駆動機構２２０の欄のインクメンテナンスに対応する音量２２１の欄の値から“６７ｄＢ”であることが分かる。従って、ステップＳ１０３では、周囲音として＋６７ｄＢを加算する。即ち、ステップＳ１０１で設定された初期値が“４５ｄＢ”であるため、これに“６７ｄＢ”に相当する音量を重ね合わせる。デシベルは対数表現であるため、その加算は、以下の式に従って行う。即ち、
１０×ｌｏｇ｛１０(45/10)＋１０(67/10)｝＝６７．０３ｄＢ
となり、周囲音予測値は約６７ｄＢとなる。その後、処理はステップＳ１０４に進む。
【００５２】
ステップＳ１０４では、ヘッドメンテナンス機構２４が動作しているかを調べる。ここで、ヘッドメンテナンス機構２４が動作していると判断される場合、処理はステップＳ１０５に進み、ヘッドメンテナンス機構２４が動作していないと判断される場合、処理はステップＳ１０６に進む。
【００５３】
ヘッドメンテナンス機構２４が駆動中の音量は、図３（ｂ）に示す駆動機構２２０の欄のヘッドメンテナンスに対応する音量２２１の欄の値から“６４ｄＢ”であることが分かる。従って、ステップＳ１０５では、周囲音として“６４ｄＢ”を加算する。その加算方法は、インクメンテナンス機構における加算と同じである。その後、処理はステップＳ１０６に進む。
【００５４】
ステップＳ１０６では記録媒体駆動機構２６が動作しているかを調べる。ここで、記録媒体駆動機構２６が動作していると判断される場合、処理はステップＳ１０７に進み、記録媒体駆動機構２６が動作していないと判断される場合、処理はステップＳ１０８に進む。
【００５５】
記録媒体駆動機構２６が駆動中の音量は、図３（ｂ）に示す駆動機構２２０の欄の記録媒体駆動機構に対応する音量２２１の欄の値から“６０ｄＢ”であることが分かる。従って、ステップＳ１０７では、周囲音として“６０ｄＢ”を加算する。その加算方法は、インクメンテナンス機構における加算と同じである。その後、処理はステップＳ１０８に進む。
【００５６】
ステップＳ１０８では、記録ヘッド駆動機構２５により記録ヘッドを搭載したキャリッジが１２．５ｉｎｃｈ／ｓの速度で移動しているかを調べる。ここで、キャリッジが１２．５ｉｎｃｈ／ｓの速度で移動していると判断される場合、処理はステップＳ１０９に進み、キャリッジが１２．５ｉｎｃｈ／ｓの速度で移動していないと判断される場合、処理はステップＳ１１０に進む。
【００５７】
キャリッジが１２．５ｉｎｃｈ／ｓの速度で移動している場合の音量は、図３（ｂ）に示す駆動機構２２０の欄の記録ヘッド移動（１２．５ｉｎｃｈ／ｓ）に対応する音量２２１の欄の値から“６２ｄＢ”であることが分かる。従って、ステップＳ１０９では、周囲音として“６２ｄＢ”を加算する。その加算方法は、インクメンテナンス機構における加算と同じである。その後、処理はステップＳ１１０に進む。
【００５８】
ステップＳ１１０では、記録ヘッド駆動機構２５により記録ヘッドを搭載したキャリッジが２５ｉｎｃｈ／ｓの速度で移動しているかを調べる。ここで、キャリッジが２５ｉｎｃｈ／ｓの速度で移動していると判断される場合、処理はステップＳ１１１に進み、キャリッジが２５ｉｎｃｈ／ｓの速度で移動していないと判断される場合、処理はステップＳ１１２に進む。
【００５９】
キャリッジが２５ｉｎｃｈ／ｓの速度で移動している場合の音量は、図３（ｂ）に示す駆動機構２２０の欄の記録ヘッド移動（２５ｉｎｃｈ／ｓ）に対応する音量２２１の欄の値から“６４ｄＢ”であることが分かる。従って、ステップＳ１１１では、周囲音として“６４ｄＢ”を加算する。その加算方法は、インクメンテナンス機構における加算と同じである。その後、処理はステップＳ１１２に進む。ステップＳ１１２では、これまでの処理で加算された周囲音予測値を最終的な周囲音予測値として決定する。
【００６０】
ステップＳ１１３では、周囲音予測部１７への電源がオフされたかどうかを調べる。ここで、電源がオフされたと判断された場合、処理は終了する。これに対して、電源がオフされていないと判断された場合、処理はステップＳ１１４に進み、時間１００ｍｓの間、処理を待ち合わせ、その後、処理はステップＳ１０１に戻る。
【００６１】
以上のような処理により、例えば、インクタンクメンテナンス機構２３、ヘッドメンテナンス機構２４、記録媒体駆動機構２６が動作し、記録ヘッド駆動機構２５によりキャリッジが１２．５ｉｎｃｈ／ｓの速度で移動した場合、周囲音予測値は、
４５ｄＢ＋６７ｄＢ＋６４ｄＢ＋６０ｄＢ＋６２ｄＢ＝７０．０６ｄＢ
と算出される。
【００６２】
図４は、冷却ファンを指定回転数で回転させたときの周囲音値を示す図である。
【００６３】
図４において、欄２０１は冷却ファン１１の回転数を最大回転数の百分率で表示し、欄２０２はその時の周囲音をデシベルで表示している。図４によれば、例えば、冷却ファン１１の回転数が５０％であれば、周囲音は５２ｄＢとなることを示している。
【００６４】
図５は、周囲音値と温度検知素子による検出温度とに従う冷却ファンの回転数を示す図である。図５において、（ａ）は、記録装置の動作ステータスが画像形成中のときの冷却ファン１１の回転数を示しており、（ｂ）は、記録装置の動作ステータスが待機中のときの冷却ファン１１の回転数を示している。
【００６５】
記録装置の動作ステータスが画像形成中の場合、制御回路１５のＣＰＵは、図５（ａ）の表を選択し、温度検知素子１３に検出された温度と算出された周囲音の予測値とに従って冷却ファン１１の回転数を決定する。同様に、記録装置の動作ステータスが待機中の場合、制御回路１５のＣＰＵは、図５（ｂ）の表を選択して、冷却ファン１１の回転数を選択する。なお、図５において、“停止”は冷却ファン１１を駆動しないことを示し、“騒音が増えない程度”は、冷却ファン１１の回転数をごく低速にすることを示している。
【００６６】
詳細は後述するが、例えば、画像形成中に周囲音が５５ｄＢであり、検出温度が６０℃であれば、図５によれば、冷却ファン１１の回転は“騒音が増えない程度”とする。一方、図４によれば、冷却ファン１１の回転数が５０％であれば、その時の周囲音値は５２ｄＢであるので、“騒音が増えない程度”として、冷却ファン１１の回転数を５０％と決定することができる。いずれにしても、図４〜５によれば、所定の閾値で規定される範囲内にある温度と周囲音とから、さらには、冷却ファン自体の回転から発生する動作音から、冷却ファンの回転数が決定される。
【００６７】
なお、周囲音については、図２に示すように、周囲音予測部１７に予め周囲音予測値として格納しておき、必要に応じて、これを読み出して周囲音とみなすようにする構成の他にも実際の周囲音を実測して、その実測値を周囲音として扱っても良い。
【００６８】
図６は、図１に示す記録装置（画像形成装置）の制御構成の変型例を示すブロック図である。図６に示す構成によれば、周囲音予測部１７の代わりに、マイクロフォン３０を記録装置に備え、マイクロフォン３０からの実測値Ｓを制御回路１５に入力し、これを周囲音として扱う。なお、図６の他の構成については、図２に示した構成と同じなので、同じ参照番号や参照記号を付し、その説明は省略する。
【００６９】
図７は、予測した周囲音又は実測した周囲音に基づいて冷却ファンの回転数を算出する処理を示すフローチャートである。この処理は、画像形成制御部１６により実行される。
【００７０】
まず、ステップＳ１２１では記録装置内にマイクロフォン３０が搭載されているかどうかを調べる。ここで、マイクロフォンが搭載されていない場合（図２に示す構成）には、処理はステップＳ１２３に進み、図３に示したフローチャートの処理に従って算出された最終的な周囲音予測値を取得する。その後、処理はステップＳ１２７に進む。これに対して、マイクロフォン３０が搭載されている場合（図６に示す構成）には、処理はステップＳ１２２に進む。
【００７１】
ステップＳ１２２では、マイクロフォン３０で計測された音量値（実測値）Ｓを３秒間取得する。次に、ステップＳ１２４では、取得した３秒間の音量値の平均値を周囲音として決定する。なお、周囲音を３秒間の平均値としなくとも、取得した３秒間の音量値の中の最小値を周囲音として決定しても構わない。
【００７２】
ステップＳ１２７では、ＡＣ／ＤＣ電源部１２内の部品に取り付けられた温度検知素子１３から出力される電圧ＶＴにより温度情報を取得する。次に、ステップＳ１２８では、記録装置の動作ステータス（画像形成中又は待機中）を取得し、さらに、ステップＳ１２９では、図５に示した表から冷却ファン１１の回転数を導き出す。
【００７３】
例えば、ステップＳ１２３又はステップＳ１２４で決定した周囲音が５７ｄＢ、ＡＣ／ＤＣ電源部１２内の部品に取り付けられた温度検知素子による検知温度７２℃、記録装置の動作ステータスが画像形成中であるとする。その場合、図５（ａ）を参照すると、冷却ファン１１の回転数が５０％であると決定される。また、ステップＳ１２３又はステップＳ１２６で決定した周囲音が５７ｄＢ、ＡＣ／ＤＣ電源部１２内の部品に取り付けられた温度検知素子による検知温度が６２℃、記録装置の動作ステータスが画像形成中であるとする。その場合、図５（ｂ）を参照して、冷却ファン１１の回転数は騒音が増えない程度にすることが決定される。この場合には、図４を参照すれば、冷却ファン１１を回転させたときの音の大きさの値から、周囲音５７ｄＢより小さい値、即ち、周囲音が５５ｄＢである回転数７０％を選択する。
【００７４】
ステップＳ１３０では、ステップＳ１２９で取得した回転数で冷却ファン１１を回転させ、さらにステップＳ１３１では、動作を３秒待ち合わせ、その後、ステップＳ１３２に進み、電源はオフされているかを判断する。ここで、電源オフされている場合には、この処理を終了するが、電源がオフされていない場合には、処理はステップＳ１２１に戻る。
【００７５】
図８は、画像形成処理を示すフローチャートである。
【００７６】
以下、このフローチャートを参照して、記録媒体への画像形成の動作を説明する。
【００７７】
まず、ステップＳ１４１で記録装置が電源オフされていないかどうかを調べる。電源オフされている場合には、画像形成動作そのものを実行しないが、電源がオンとなっている場合、処理はステップＳ１４２に進み、インタフェース１０４を介してホスト装置から画像形成に用いる画像データが送信されてきているかどうかを調べる。ここで、画像データが送信されていない場合、処理はステップＳ１４１に戻るが、画像データが送信されてきている場合、処理はステップＳ１４３に進む。
【００７８】
ステップＳ１４３では、送信された画像データを通信制御回路１４により取得し、さらに制御回路１５の制御によって、これをメモリ１８に格納する。次に、ステップＳ１４４では、メモリ１８に格納された画像データを画像形成制御部１６によりインク色データに分解し、２値化処理を行い、記録される画像の解像度に変換するなどの画像処理を行って、記録データを生成して、これを再度メモリ１８に格納する。
【００７９】
ステップＳ１４５では、記録媒体２２を記録媒体駆動機構２６の一部で図１には図示されていない搬送モータによって、記録媒体２２の先端を記録ヘッド２１の走査範囲の下に移動させる。さらに、ステップＳ１４６では、記録ヘッド２１を主走査方向に移動させながら記録媒体２２上に適時インクを吐出することで、記録媒体２２に画像を形成する。
【００８０】
ここで、記録ヘッド２１から吐出するインクは、インクタンク２０からインクタンクメンテナンス機構２３を介して、サブタンク４０に一次的に貯留され、インクチューブ１１０を介して記録ヘッド２１に送られる。この実施例では、インクタンク２０と記録ヘッド２１との水頭差によってインクを記録ヘッド２１に供給する。一方、キャップ４２上に待機していた記録ヘッド２１を、記録ヘッド駆動機構２５の一部であるキャリッジモータ４４を回転させ、ベルト４５を通して、レール４３の上を主走査方向に移動させる。このとき、エンコーダセンサ４６が検出するフィルム４７のスリットの数により、記録ヘッド２１の移動速度と位置を算出する。そして、記録ヘッド２１の移動に伴い、適時、記録ヘッドの位置に相当する記録データからインクを吐出すべきノズルと吐出タイミングをインク吐出制御回路１９からＦＦＣ１０９を介して記録ヘッド２１に与えることにより、記録媒体２２にインクを吐出する。
【００８１】
ステップＳ１４７では、記録媒体駆動機構２６の一部の搬送モータによって、記録媒体２２を記録ヘッドによる１記録走査分、移動させる。さらに、ステップＳ１４８では、記録媒体２２に記録データ全てに基づく画像を形成したかを判断する。ここで、全ての画像が形成されていない場合は、処理はステップＳ１４６に戻り、全ての画像が形成された場合、処理はステップＳ１４９に進む。
【００８２】
ステップＳ１４９では、搬送モータを駆動して、記録媒体２２を装置外に排出し、処理はステップＳ１４１に戻る。
【００８３】
従って、以上説明した実施例に従えば、その記録装置の動作ステータスと、予測又は実測された周囲音と、ＡＣ／ＤＣ電源部の温度と周囲音とに従って、冷却ファンの回転数を適切に制御することができる。これにより、電源を冷却するファンの稼働音を周囲音より目立たなくすることができる。
【００８４】
なお、以上説明した実施例では、記録装置としてインクジェット方式を用いた装置を例にとったが、電子写真方式を用いた装置を用いても良い。
【符号の説明】
【００８５】
１１…冷却ファン、１２…ＡＣ／ＤＣ電源部、１３…温度検知素子、１５…制御回路、
１７…周囲音予測部、３０…マイクロフォン
【図１】
2018114697.tif 000003
【図２】
2018114697.tif 000004
【図３】
2018114697.tif 000005
【図４】
2018114697.tif 000006
【図５】
2018114697.tif 000007
【図６】
2018114697.tif 000008
【図７】
2018114697.tif 000009
【図８】
2018114697.tif 000010
【図９】
2018114697.tif 000011
【図１０】
2018114697.tif 000012